【手続補正書】
【提出日】令和3年6月25日(2021.6.25)
【手続補正１】
【補正対象書類名】特許請求の範囲
【補正対象項目名】全文
【補正方法】変更
【補正の内容】
【特許請求の範囲】
【請求項１】
遊技機に対して遊技に必要な電源の投入を所定の投入操作が為されることで開始する電源投入手段と、
所定条件の成立に基づいて大当りとなるか否かの当否判定を所定の判定確率にて実行する当否判定手段と、
前記所定の判定確率として異なる確率に設定された複数種類の段階設定値と、
前記段階設定値を変更可能な設定変更状態と、を備え、
前記設定変更状態へ、前記電源投入手段による電源投入時に、所定の第１操作に因り設定キーＳＷがＯＮ状態となること且つ所定の第２操作に因りＲＡＭクリアＳＷがＯＮ状態となること、に基づいて、移行可能とする遊技機において、
前記電源投入の前であって且つ前記設定キーＳＷおよび前記ＲＡＭクリアＳＷがＯＮ状態となったとき、所定の報知を行う第１条件成立報知手段と、を更に備え、
前記第１条件成立報知手段は、
前記電源投入に先んじて、電源投入すると前記設定変更状態に移行可能であることを、前記所定の報知により示唆する、
ことを特徴とする遊技機。
【請求項２】
遊技機に対して遊技に必要な電源の投入を所定の投入操作が為されることで開始する電源投入手段と、
所定条件の成立に基づいて大当りとなるか否かの当否判定を所定の判定確率にて実行する当否判定手段と、
前記所定の判定確率として異なる確率に設定された複数種類の段階設定値と、
前記段階設定値を変更可能な設定変更状態と、
前記段階設定値を確認可能な設定確認状態と、を備え、
前記設定変更状態及び前記設定確認状態の何れの状態へも、前記電源投入手段による電源投入時に、少なくとも所定の第１操作に因り設定キーＳＷがＯＮ状態となることに基づいて、移行可能とする遊技機において、
前記電源投入の前であって且つ前記設定キーＳＷがＯＮ状態となったとき、所定の報知を行う第１条件成立報知手段と、を更に備え、
前記第１条件成立報知手段は、
前記電源投入に先んじて、電源投入すると前記設定変更状態又は設定確認状態の何れかに移行可能であることを、前記所定の報知により示唆する、
ことを特徴とする遊技機。
【請求項３】
遊技機に対して遊技に必要な電源の投入を所定の投入操作が為されることで開始する電源投入手段と、
所定条件の成立に基づいて大当りとなるか否かの当否判定を所定の判定確率にて実行する当否判定手段と、
前記所定の判定確率として異なる確率に設定された複数種類の段階設定値と、
前記段階設定値を変更可能な設定変更状態と、
前記段階設定値を確認可能な設定確認状態と、を備え、
前記設定変更状態及び前記設定確認状態の何れの状態へも、前記電源投入手段による電源投入時に、少なくとも所定の第１操作に因り設定キーＳＷがＯＮ状態となることに基づいて、移行可能とする遊技機において、
所定の第２操作に因りＯＮ状態となることが可能なＲＡＭクリアＳＷと、
前記電源投入手段による電源投入時に、前記設定キーＳＷがＯＮ状態となっており且つ前記ＲＡＭクリアＳＷがＯＮ状態となっていないことに基づいて前記設定確認状態に移行し、前記設定キーＳＷがＯＮ状態となっており且つ前記ＲＡＭクリアＳＷもＯＮ状態となっていることに基づいて前記設定変更状態に移行する設定状態移行手段と、
前記電源投入の前であって且つ前記設定キーＳＷおよび／または前記ＲＡＭクリアＳＷがＯＮ状態となったとき、所定の報知を行う第１条件成立報知手段と、を更に備え、
前記第１条件成立報知手段は、
前記電源投入に先んじて、電源投入すると前記設定変更状態又は設定確認状態の何れに移行するかを、前記所定の報知により示唆する、
ことを特徴とする遊技機。
【手続補正２】
【補正対象書類名】明細書
【補正対象項目名】０００６
【補正方法】変更
【補正の内容】
【０００６】
上記課題に鑑みなされた請求項１に記載の発明は、遊技機に対して遊技に必要な電源の投入を所定の投入操作が為されることで開始する電源投入手段と、所定条件の成立に基づいて大当りとなるか否かの当否判定を所定の判定確率にて実行する当否判定手段と、所定の判定確率として異なる確率に設定された複数種類の段階設定値と、段階設定値を変更可能な設定変更状態と、を備え、設定変更状態へ、電源投入手段による電源投入時に、所定の第１操作に因り設定キーＳＷがＯＮ状態となること且つ所定の第２操作に因りＲＡＭクリアＳＷがＯＮ状態となること、に基づいて、移行可能とする遊技機において、電源投入の前であって且つ設定キーＳＷおよびＲＡＭクリアＳＷがＯＮ状態となったとき、所定の報知を行う第１条件成立報知手段と、を更に備え、第１条件成立報知手段は、電源投入に先んじて、電源投入すると設定変更状態に移行可能であることを、所定の報知により示唆する、ことを特徴とする。
また、同じく上記課題に鑑みなされた請求項２に記載の発明は、遊技機に対して遊技に必要な電源の投入を所定の投入操作が為されることで開始する電源投入手段と、所定条件の成立に基づいて大当りとなるか否かの当否判定を所定の判定確率にて実行する当否判定手段と、所定の判定確率として異なる確率に設定された複数種類の段階設定値と、段階設定値を変更可能な設定変更状態と、段階設定値を確認可能な設定確認状態と、を備え、設定変更状態及び設定確認状態の何れの状態へも、電源投入手段による電源投入時に、少なくとも所定の第１操作に因り設定キーＳＷがＯＮ状態となることに基づいて、移行可能とする遊技機において、電源投入の前であって且つ設定キーＳＷがＯＮ状態となったとき、所定の報知を行う第１条件成立報知手段と、を更に備え、第１条件成立報知手段は、電源投入に先んじて、電源投入すると設定変更状態又は設定確認状態の何れかに移行可能であることを、所定の報知により示唆する、ことを特徴とする。
さらに、同じく上記課題に鑑みなされた請求項３に記載の発明は、遊技機に対して遊技に必要な電源の投入を所定の投入操作が為されることで開始する電源投入手段と、所定条件の成立に基づいて大当りとなるか否かの当否判定を所定の判定確率にて実行する当否判定手段と、所定の判定確率として異なる確率に設定された複数種類の段階設定値と、段階設定値を変更可能な設定変更状態と、段階設定値を確認可能な設定確認状態と、を備え、設定変更状態及び設定確認状態の何れの状態へも、電源投入手段による電源投入時に、少なくとも所定の第１操作に因り設定キーＳＷがＯＮ状態となることに基づいて、移行可能とする遊技機において、所定の第２操作に因りＯＮ状態となることが可能なＲＡＭクリアＳＷと、電源投入手段による電源投入時に、設定キーＳＷがＯＮ状態となっており且つＲＡＭクリアＳＷがＯＮ状態となっていないことに基づいて設定確認状態に移行し、設定キーＳＷがＯＮ状態となっており且つＲＡＭクリアＳＷもＯＮ状態となっていることに基づいて設定変更状態に移行する設定状態移行手段と、電源投入の前であって且つ設定キーＳＷおよび／またはＲＡＭクリアＳＷがＯＮ状態となったとき、所定の報知を行う第１条件成立報知手段と、を更に備え、第１条件成立報知手段は、電源投入に先んじて、電源投入すると設定変更状態又は設定確認状態の何れに移行するかを、所定の報知により示唆する、ことを特徴とする。
【手続補正３】
【補正対象書類名】明細書
【補正対象項目名】０００７
【補正方法】変更
【補正の内容】
【０００７】
なお、本明細書において参考として開示する第１開示発明は、遊技機に対して遊技に必要な電源の投入を所定の投入操作が為されることで開始する電源投入手段と、所定条件の成立に基づいて大当りとなるか否かの当否判定を所定の判定確率にて実行する当否判定手段と、所定の判定確率として異なる確率に設定された複数種類の段階設定値と、段階設定値を変更可能な設定変更状態と、を備え、設定変更状態へ、電源投入手段による電源投入時に、第１操作手段の所定の第１操作に因り第１条件が成立していること且つ第２操作手段の所定の第２操作に因り第２条件が成立していること、に基づいて、移行可能とする遊技機に関するものである。
この遊技機は、第１条件および第２条件が成立したとき、所定の報知を行う第１条件成立報知手段と、所定の報知に必要な予備電源を第１条件成立報知手段に供給する予備電源供給手段と、を更に備え、第１条件成立報知手段は、電源投入に先んじて、電源投入すると設定変更状態に移行可能であることを、所定の報知により示唆する、ことを特徴とする。
【手続補正４】
【補正対象書類名】明細書
【補正対象項目名】０００９
【補正方法】変更
【補正の内容】
【０００９】
また、本明細書において参考として開示する第２開示発明は、遊技機に対して遊技に必要な電源の投入を所定の投入操作が為されることで開始する電源投入手段と、所定条件の成立に基づいて大当りとなるか否かの当否判定を所定の判定確率にて実行する当否判定手段と、所定の判定確率として異なる確率に設定された複数種類の段階設定値と、段階設定値を変更可能な設定変更状態と、段階設定値を確認可能な設定確認状態と、を備え、設定変更状態及び設定確認状態の何れの状態へも、電源投入手段による電源投入時に、少なくとも第１操作手段の所定の第１操作に因り第１条件が成立していることに基づいて、移行可能とする遊技機に関するものである。
【手続補正５】
【補正対象書類名】明細書
【補正対象項目名】００１２
【補正方法】変更
【補正の内容】
【００１２】
また、本明細書において参考として開示する第３開示発明は、遊技機に対して遊技に必要な電源の投入を所定の投入操作が為されることで開始する電源投入手段と、所定条件の成立に基づいて大当りとなるか否かの当否判定を所定の判定確率にて実行する当否判定手段と、所定の判定確率として異なる確率に設定された複数種類の段階設定値と、段階設定値を変更可能な設定変更状態と、段階設定値を確認可能な設定確認状態と、を備え、設定変更状態及び設定確認状態の何れの状態へも、電源投入手段による電源投入時に、少なくとも第１操作手段の所定の第１操作に因り第１条件が成立していることに基づいて、移行可能とする遊技機に関するものである。